(57)【要約】【課題】簡単な構成で、冷房運転開始時の室内熱交換器に付着している塵、埃から発生する臭いを抑えた空気調和機を提供する。【解決手段】室内ユニット９は、室内熱交換器５と、吹出口１１と、室内ファン１４と、吹出口１１に設けられ吹き出される空気の向きを変更する上下風向変更板１５とを備え、冷房運転開始時から第１の所定時間、室内ファン１４の運転を停止し、その後第２の所定時間、上下風向変更板１５を微開にしかつ室内ファン１４を低速運転するもので、第１の所定時間での冷房運転で、室内熱交換器５をある程度湿った状態にし、第２の所定時間に、前記風向変更板１５を微開にして前記室内ファン１４を低速運転して、多くの空気を取り込んで前記熱交換器５を十分湿った状態にして、室内熱交換器５に付着している塵や埃等が原因となる臭いを抑制する。【選択図】図２
2005127558.tif 000002
【特許請求の範囲】
【請求項１】
圧縮機と室外熱交換器を内蔵する室外ユニットと、前記室外ユニットに配管を介して接続される室内ユニットから構成され、前記室内ユニットは、吸込口と、室内熱交換器と、吹出口と、前記吸込口から室内空気を取り入れ前記室内熱交換器を通して前記吹出口から熱交換された空気を吹き出すための室内ファンと、前記吹出口に設けられ吹き出される空気の向きを変更する上下風向変更板とを備え、冷房運転開始時から第１の所定時間、前記室内ファンの運転を停止し、その後第２の所定時間、前記上下風向変更板を微開にしかつ前記室内ファンを低速運転することを特徴とする空気調和機。
【請求項２】
吸込口と室内熱交換器との間に脱臭フィルターを具備し、第２の所定時間、吹き出し口から吹き出される空気が吸込口に直接流れるように上下風向変更板の開動作を制御することを特徴とする請求項１記載の空気調和機。
【請求項３】
圧縮機と室外熱交換器を内蔵する室外ユニットと、前記室外ユニットに配管を介して接続される室内ユニットから構成され、前記室内ユニットは、吸込口と、室内熱交換器と、吹出口と、前記吸込口から室内空気を取り入れ前記室内熱交換器を通して前記吹出口から熱交換された空気を吹き出すための室内ファンと、前記吹出口に設けられ吹き出される空気の向きを変更する上下風向変更板と、前記室内ユニット内の空気を室外に排出する排気装置とを備え、冷房運転開始から所定時間上下風向変更板を閉塞すると共に、前記排気装置および前記室内ファンを運転することを特徴とする空気調和機。
【請求項４】
所定時間室内ファンを低速運転することを特徴とする請求項３記載の空気調和機。
【発明の詳細な説明】
【技術分野】
【０００１】
本発明は冷房運転の機能を有する空気調和機に関するものである。
【背景技術】
【０００２】
一般に、空気調和機は、圧縮機、室外熱交換器、膨張機構、室内熱交換器を順次接続した冷凍サイクルを備え、室外熱交換器を凝縮器、室内熱交換器を蒸発器として機能させることにより、室内を冷房するようにしている。また、冷房に伴い、空気中の水分が室内熱交換器で凝縮され、室内を除湿することができる。また冷房運転をした時、室内熱交換器に水分が付着することにより、空気中の塵埃も室内熱交換器に付着する。
【０００３】
この付着物が、空気調和機の次の運転を開始したときに室内熱交換器が乾いている状態であれば、空気中に飛散するため臭いがすることがある。このため、冷房運転を開始したときに、室内ファンを停止させたまま、室内熱交換器の温度を検出して、検出した温度が所定の温度に達したか否かを確認し、検出した室内熱交換器の温度が所定の温度まで下がったら、室内ファンを運転するようにしていた。つまり室内熱交換器の温度が所定の温度まで下がり、空気中の水分が室内熱交換器で凝縮され、室内熱交換器が湿っている状態になった時に運転して、室内熱交換器に付着している塵、埃による臭いの発生を抑えるようにしていた（例えば、特許文献１参照）。
【特許文献１】特開２０００−２２７２４６号公報
【発明の開示】
【発明が解決しようとする課題】
【０００４】
しかしながら、前記従来の空気調和機では、室内熱交換器の温度を検出する検出手段としてセンサー等が必要であり、またセンサーを用いて制御するために制御が複雑になり、多大な設計工数が必要であった。また、室内熱交換器の温度が設定温度以下に下がるまでは室内ファンを運転しないため、室内熱交換器で凝縮される水分は、室内ユニット近傍の空気に含まれ分だけであるため、室内熱交換器の温度が所定温度以下に下がっても室内熱交換器が十分湿った状態にはならないという課題も有していた。
【０００５】
本発明は、前記従来の課題を解決するもので、室内熱交換器の温度を検出するセンサー等を用いることなく、冷房運転を開始するときに、臭いが感じられるのを確実に抑える空気調和機を提供することを目的とする。
【課題を解決するための手段】
【０００６】
前記従来の課題を解決するために、本発明の空気調和機は、室外ユニットと室内ユニットで構成され、前記室内ユニットは、吸込口と、室内熱交換器と、吹出口と、前記吸込口から室内空気を取り入れ前記室内熱交換器を通して前記吹出口から熱交換された空気を吹き出すための室内ファンと、前記吹出口に設けられ吹き出される空気の向きを変更する上下風向変更板とを備え、冷房運転開始時から第１の所定時間、前記室内ファンの運転を停止し、その後第２の所定時間、前記上下風向変更板を微開にしかつ前記室内ファンを低速運転するもので、第１の所定時間に前記室内ファンを停止させ冷房運転しているため、室内熱交換器はある程度湿った状態になり、その後、第２の所定時間には、前記風向変更板を微開にして、前記室内ファンを低速運転することにより、室内空気が前記室内熱交換器を通して循環できるので、より多くの空気中の水分を取り込め確実に前記室内熱交換器を湿った状態にすることができ、さらに、前記上下風向変更板を微開にし、前記室内ファンを低速運転しているため、吹出風が住居域に直接到達することがないので、前記室内熱交換器に付着している塵や埃等が原因となる臭いを抑制することができる。
【０００７】
また、本発明の空気調和機は、室外ユニットと室内ユニットから構成され、前記室内ユニットは、吸込口と、室内熱交換器と、吹出口と、前記吸込口から室内空気を取り入れ前記室内熱交換器を通して前記吹出口から熱交換された空気を吹き出すための室内ファンと、前記吹出口に設けられ吹き出される空気の向きを変更する上下風向変更板と、前記室内ユニット内の空気を室外に排出する排気装置とを備え、冷房運転開始から所定時間上下風向変更板を閉塞すると共に、前記排気装置および前記室内ファンを運転するもので、冷房運転開始から所定時間の間に室内ファンによる風で前記室内熱交換器に付着している塵や埃が剥離し、それらが前記排気装置で室外に排出されるので、室内熱交換器に付着していた塵や埃が住居域に一切飛散することがない。
【発明の効果】
【０００８】
本発明の空気調和機は、室内熱交換器の温度を検出する検出手段を用いることなく、冷房運転開始時に室内熱交換器に付着している塵、埃等が原因によって、発生する臭いにおいを確実に抑えることができる。
【発明を実施するための最良の形態】
【０００９】
第１の発明は、圧縮機と室外熱交換器を内蔵する室外ユニットと、前記室外ユニットに配管を介して接続される室内ユニットから構成され、前記室内ユニットは、吸込口と、室内熱交換器と、吹出口と、前記吸込口から室内空気を取り入れ前記室内熱交換器を通して前記吹出口から熱交換された空気を吹き出すための室内ファンと、前記吹出口に設けられ吹き出される空気の向きを変更する上下風向変更板とを備え、冷房運転開始時から第１の所定時間、前記室内ファンの運転を停止し、その後第２の所定時間、前記上下風向変更板を微開にしかつ前記室内ファンを低速運転するもので、第１の所定時間に前記室内ファンを停止させ冷房運転しているため、室内熱交換器はある程度湿った状態になり、その後、第２の所定時間には、前記風向変更板を微開にして、前記室内ファンを低速運転することにより、室内空気が前記室内熱交換器を通して循環できるので、より多くの空気中の水分を取り込めるので、室内熱交換器の温度を検出する検出手段などを用いることなく確実に前記室内熱交換器を湿った状態にすることができ、さらに、前記上下風向変更板を微開にし、前記室内ファンを低速運転しているため、吹出風が住居域に直接到達することがないので、前記室内熱交換器に付着している塵や埃等が原因となる臭いを抑制することができる。
【００１０】
第２の発明は、特に、第１の発明の吸込口と室内熱交換器との間に脱臭フィルターを具備し、第２の所定時間、吹き出し口から吹き出される空気が吸込口に直接流れるように上下風向変更板の開動作を制御するもので、第１の所定時間に前記室内ファンを停止させ冷房運転しているので、室内熱交換器はある程度湿った状態になり、その後第２の所定時間に吹出し口から吹き出される空気がそのまま吸入口に流れるショートサーキットが形成され、吹出し口から吹き出される室内熱交換器に付着していた塵、埃や臭いが脱臭フィルターによって吸着され、しかも吹出風が住居域に届かないので、室内熱交換器が湿っていなくても、冷房運転を開始したときの臭いを抑えることができる。
【００１１】
第３の発明は、圧縮機と室外熱交換器を内蔵する室外ユニットと、前記室外ユニットに配管を介して接続される室内ユニットから構成され、前記室内ユニットは、吸込口と、室内熱交換器と、吹出口と、前記吸込口から室内空気を取り入れ前記室内熱交換器を通して前記吹出口から熱交換された空気を吹き出すための室内ファンと、前記吹出口に設けられ吹き出される空気の向きを変更する上下風向変更板と、前記室内ユニット内の空気を室外に排出する排気装置とを備え、冷房運転開始から所定時間上下風向変更板を閉塞すると共に、前記排気装置および前記室内ファンを運転するもので、冷房運転開始から所定時間の間に、前記室内ファンの風により前記室内熱交換器に付着している塵や埃が剥離し、それ
らが前記排気装置で室外に排出されるので、室内熱交換器に付着していた塵や埃が住居域に一切飛散することがない。
【００１２】
第４の発明は、特に、第３の発明の室内ファンを所定時間低速運転するもので、室内熱交換器から剥離した塵や埃が室内ユニットの内壁にこびりついたり、室内側に漏れ出る事が無く、衛生的である。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の冷凍サイクル図で、図２は、同空気調和機の室内ユニット内部を示す概略構成図で、図３は、同空気調和機の制御の流れを示すフローチャートである。
【００１５】
図１において、１は、室外に設置される室外ユニットで、圧縮機１ａ、四方弁２、室外熱交換器３、膨張機構４、前記室外熱交換器３に風をあてる室外ファン３ａを内蔵している。
【００１６】
９は、室内の壁などに設置される室内ユニットで、室外ユニット１と配管３ｂを介して接続され、室内熱交換器５、室内ファン１４を内蔵している。
【００１７】
空気調和機の冷房運転時には、圧縮機１ａから吐出される冷媒が四方弁２から室外熱交換器３、膨張機構４、室内熱交換器５へと順に流れ、四方弁２を通って圧縮機１ａに戻る冷凍サイクルが形成されている。すなわち、室外熱交換器３が凝縮器、室内熱交換器５が蒸発器として機能する。
【００１８】
図２において、室内ユニット９は、室内空気を取り入れる吸込口１０を有し、さらに前面下部には空調用空気（冷房空気）を吹き出す吹出口１１を有している。室内ユニット９内には、上記吸入口１０から吹出口１１にかけて通風路１２が形成される。この通風路１２において、吸入口１０の内側に防塵用のフィルター１３が設けられ、そのフィルター１３の内側に、脱臭フィルター１６、室内熱交換器５、室内ファンモータ２３で回転駆動される室内ファン１４が配設されている。室内ファン１４が回転すると、室内空気が吸込口１０から流入し、フィルター１３、脱臭フィルター１６を通って室内ユニット９内に吸い込まれる。
【００１９】
通風路１２において、室内ファン１４の下流側の吹出口１１を臨む位置に、上下風向変更板１５が設けられており、上下風向変更板モータ６によって駆動され、運転時は時計回りに可動して吹出口１１を開放し、吹き出し風の方向を室内ユニット９の上下方向において設定するとともに、運転停止時は反時計回りに回動し吹出口１１を閉成し、塵埃が室内ユニット９内に入り込むのを防ぐ働きをする。
【００２０】
そして、室内ファンモータ２３、上下風向変更板モータ６は室内制御Ｐ板７にて、圧縮機１ａの駆動は室外制御Ｐ板８にて、それぞれ制御されている。
【００２１】
図３は、本実施の形態における制御の流れを示すフローチャートを示している。
【００２２】
同図において、最初のステップ１００で冷房運転か否かを確認しており、このフローチャートは、空調運転を停止していた空気調和機が、冷房運転を開始するときのみ実行されるものである。
【００２３】
最初のステップ１００で冷房運転と判断されたら、ステップ１０１、１０２で第１の所定時間は室内ファン１４は停止状態になる。しかし、圧縮機１ａは駆動し冷媒を循環するため、この冷媒により室内熱交換器５は室内ファン１４を運転しているときよりも、確実に冷却されているため湿りやすい状態になる。そして第１の所定時間が経過すると、ステップ１０３で上下風向変更板１５を図２で破線で示すように、閉塞位置より微かに下端を開いた微開位置まで回動させ、ステップ１０４で室内ファン１４が低風量で運転される。そして第２の所定時間経過するまでは、上下風向変更板１５及び室内ファン１４は前記設定通り運転され、前記第２の所定時間経過後はステップ１０６で通常の冷房用の運転制御を開始する。
【００２４】
以上のように構成された空気調和機について、以下その動作、作用を説明する。
【００２５】
冷房運転を開始すると、室内ユニット９に設けている室内熱交換器５の温度が次第に低下し、それに空気中の水分が付着していく。このために、フィルター１３、脱臭フィルター１６で除去しきれなかった塵、埃が室内熱交換器５に付着する。
【００２６】
一方、冷房運転を停止すると、室内熱交換器５の温度が上昇し、それに付着した塵や埃が乾いていく。そして、室内熱交換器５が乾いた状態で、冷房運転を開始して、室内ファン１４が回転すると、室内熱交換器５に付着していた塵や埃等が吹出口１１から吹き出され、臭いを発することがある。すなわち、室内熱交換器５を湿った状態にすれば、塵や埃が室内熱交換器５に付着したまま残るので、室内でこの臭いを感じることはない。また、室内熱交換器５が乾いた状態で冷房運転しても、直接、居住域に吹出風が到達しなければ、室内熱交換器５に付着していた塵や埃等による臭いを感じることはない。
【００２７】
よって、冷房運転直後の室内熱交換器５が乾いた状態では、第１の所定時間、室内ファン１４を停止させ、室内ユニット１内の空気中の水分である程度室内熱交換器５を湿った状態にし、次に第２の所定時間、上下風向変更板１５が閉塞位置よりも微開位置まで回動させて、室内ファン１４を低風量で運転することにより、室内全体の空気が室内熱交換器５を通して循環されるので、より多くの空気中の水分を取り込めて確実に室内熱交換器５を湿った状態にすることができる。
【００２８】
さらに、風向変更板１５を微開にし、室内ファン１４を低速運転することにより、吹出風が住居域に直接到達することがないため、塵や埃による臭いを感じることがない。
【００２９】
このように、本実施の形態によれば、たとえ室内熱交換器５に塵や埃が付着している状態でも、室内熱交換器５の温度を検出する検出手段等を用いることなく、塵や埃による臭いを感じさせることがない。
【００３０】
（実施の形態２）
図４は、本発明の第２の実施の形態における空気調和機の室内ユニットの概略構成図である。なお、上記実施の形態と同一部品には同一の符号を付与してその説明を省略する。
【００３１】
上記第１の実施の形態では、第２の所定時間（ステップ１０５）の間、上下風向変更板１５の下端を微開にしたが、本実施の形態では、同第２の所定時間の間、図４で破線で示すように、上下風向変更板１５の前縁部を開けると共に水平線より上の位置になるように回動を制御する。これにより、吹出口１１から吹き出された空気が破線の矢印で示されるように直接吸入口１０へと流れるショートサーキットが形成され、吹出風が住居域に届かないので、塵埃による臭いを感じる事が無い。
【００３２】
また、ショートサーキットの形成と同時に室内ファン４を低風量で運転すると、吹出口１１から吹き出される吹出風が遠くに流れることなくほとんどが吸込口１０へと流れ、ショートサーキットの形成がより確実なものとなるため、室内熱交換器５に付着していた塵や埃が吹出口１１から出てきても、フィルター１３、脱臭フィルター１６によって吸着されるため、室内熱交換器５の湿りが不十分であっても、冷房運転を開始したときに発生する臭いを抑えることができる。
【００３３】
（実施の形態３）
図５は、本発明の第３の実施の形態における空気調和機の室内ユニットの概略構成図で、  図６は、本実施の形態における制御の流れを示すフローチャートを示している。上記実施の形態と同一部品には同一の符号を付与してその説明を省略する。
【００３４】
図５において、室内ユニット１の下部の背板１７の外面に排気装置１８が、その吸入口１８ａを通風路１２に開口させるように取りつけられている。さらに、排気装置１８の排気口１８ｂは、壁開口を貫通し、屋外に向けて開口するよう排気ダクト１９が接続されている。そして排気装置１８は、排気モータ２０によって多翼ファン２１を回転駆動することで、吸気口１８ａから吸込んだ室内ユニット９内の空気を、排気ダクト１９を通じて屋外に排気するようになっている。
【００３５】
次に、図６を用いて制御の流れを説明する。
【００３６】
図６において、最初のステップ２００で冷房運転か否かを確認しており、このフローチャートは、空調運転を停止していた空気調和機の冷房運転を開始するときのみ実行される。ステップ２００で冷房運転と判断されたら、ステップ２０１で室内ファン１４を低風量で運転すると同時にステップ２０２で排気装置１８の運転も開始する。ステップ２０３で所定時間Ｔ１が経過するまでは、室内ファン１４及び排気装置１８は前記設定通り運転され、所定時間Ｔ１が経過後にステップ１０６で通常制御を開始する。
【００３７】
以上のように構成された空気調和機について、以下にその動作、作用を説明する。
【００３８】
冷房運転の開始時、所定時間Ｔ１の間は、室内ファン１４を低風量で運転することにより室内熱交換器５に付着した塵や埃を剥離させると同時に上下風向変更板１５は閉塞位置状態とし、室内熱交換器５に付着した塵や埃が住居域に流れ出ないように遮断する。そして、室内熱交換器５に付着した塵や埃は室内ユニット９内の通風路内で飛散するが、それらは、排気装置１８を運転することにより、排気ダクト１９を通じて屋外に排出される。
【００３９】
以上のように、本実施の形態によれば、排気装置１８を設けることにより、室内熱交換器５が十分に湿った状態でなくても、室内熱交換器５に付着した塵や埃は排気ダクト１９を通じ屋外に排出されるため、塵や埃から発生する臭いが室内に流れることを完全に抑えることができる。
【００４０】
なお、上記第１〜３の実施の形態では、分離型の空気調和機を例にして述べたが、室外ユニットと室内ユニットが一体化された空気調和機にあっても同様の効果が得られるのは云うまでも無い。
【産業上の利用可能性】
【００４１】
以上のように、本発明にかかる空気調和機は、室内熱交換器の温度を検出する検出手段等を用いることなく、冷房運転開始時の室内熱交換器に付着している塵、埃等が原因によって発生する臭いを確実に抑えることができるので、車両用空気調和機等の用途にも適用できる。
【図面の簡単な説明】
【００４２】
【図１】本発明の実施の形態１における空気調和機の冷凍サイクル図
【図２】同空気調和機の室内ユニット内部を示す概略構成図
【図３】同空気調和機の制御の流れを示すフローチャート
【図４】本発明の実施の形態２における空気調和機の室内ユニット内部を示す概略構成図
【図５】本発明の実施の形態３における空気調和機の室内ユニット内部を示す概略構成図
【図６】同空気調和機の制御の流れを示すフローチャート
【符号の説明】
【００４３】
１    室外ユニット
１ａ  圧縮機
２    四方弁
３    室外熱交換器
４    膨張機構
５    室内熱交換器
６    上下風向変更板モータ
７    室内制御Ｐ板
８    室外制御Ｐ板
９    室内ユニット
１０    吸入口
１１    吹出口
１２    通風路
１３    フィルター
１４    室内ファン
１５    上下風向変更板
１６    防臭フィルター
１７    背板
１８    排気装置
１８ａ  吸入口
１８ｂ  排気口
１９    排気ダクト
２０    排気モータ
２１    多翼ファン
２３    室内ファンモータ
【図１】
2005127558.tif 000003
【図２】
2005127558.tif 000004
【図３】
2005127558.tif 000005
【図４】
2005127558.tif 000006
【図５】
2005127558.tif 000007
【図６】
2005127558.tif 000008